(57)【特許請求の範囲】
【請求項１】
無線通信システムにおける中継局のアップストリーム帯域幅要請及び割り当て方法において、
所定時間の間、それぞれ、１つ以上の端末から要請帯域幅の量情報を含む１つ以上の帯域幅割り当て要請メッセージを前記中継局によって受信する過程と、
前記検出した各端末別要請帯域幅の量を合せて、総要請帯域幅の量を前記中継局によって計算する過程と、
前記計算した総要請帯域幅の量情報を含む新しい帯域幅割り当て要請メッセージを前記中継局によって生成する過程と、
前記新しい帯域幅割り当て要請メッセージを前記中継局によって基地局に伝送する過程と
を含むことを特徴とする方法。 
【請求項２】
前記総要請帯域幅は、中継局自身が必要とする帯域幅の量を含むことを特徴とする請求項１に記載の方法。 
【請求項３】
前記メッセージが受信される際、前記端末が要請したサービス品質及び優先順位を検査し、前記検査したサービス品質及び優先順位情報を保存する過程をさらに含むことを特徴とする請求項１に記載の方法。 
【請求項４】
前記端末が要請した帯域幅の量は、前記サービス品質及び優先順位情報に基づき検出することを特徴とする請求項３に記載の方法。 
【請求項５】
前記基地局から帯域幅が割り当てられる際、前記割り当てられた帯域幅を各端末が要請した帯域幅の量に応じて該当端末に割り当てる過程をさらに含むことを特徴とする請求項１に記載の方法。 
【請求項６】
前記検出した各端末の要請帯域幅の量を保存する過程をさらに含むことを特徴とする請求項１に記載の方法。 
【請求項７】
無線通信システムにおける中継局のアップストリーム帯域幅要請及び割り当て方法において、
所定時間の間、それぞれ、１つ以上の端末から所定の量の帯域幅を要請するコード分割多重接続（Ｃｏｄｅ  Ｄｉｖｉｓｉｏｎ  Ｍｕｌｔｉｐｌｅ  Ａｃｃｅｓｓ：以下、「ＣＤＭＡ」とする）コードを前記中継局によって受信する過程と、
前記検出した各端末別要請帯域幅の量を合せて、総要請帯域幅の量を前記中継局によって計算する過程と、
前記計算した量の帯域幅を要請する新しいＣＤＭＡコードを前記中継局によって生成する過程と、
前記新しいＣＤＭＡコードを前記中継局によって基地局に伝送する過程と
を含むことを特徴とする方法。 
【請求項８】
前記総要請帯域幅が、中継局自身が必要とする帯域幅の量を含むことを特徴とする請求項７に記載の方法。 
【請求項９】
前記ＣＤＭＡコードが受信される際、前記端末が要請したサービス品質及び優先順位を検査し、前記検査したサービス品質及び優先順位情報を保存する過程をさらに含むことを特徴とする請求項７に記載の方法。 
【請求項１０】
前記端末が要請した帯域幅の量は、前記サービス品質及び優先順位情報に基づき検出することを特徴とする請求項９に記載の方法。 
【請求項１１】
前記基地局から帯域幅が割り当てられる際、前記割り当てられた帯域幅を各端末が要請した帯域幅の量に応じて該当端末に割り当てる過程をさらに含むことを特徴とする請求項７に記載の方法。 
【請求項１２】
前記検出した各端末の要請帯域幅の量を保存する過程をさらに含むことを特徴とする請求項７に記載の方法。 
【請求項１３】
前記新しいＣＤＭＡコードは、ＣＤＭＡコードテーブルから前記帯域幅要請に該当する指定された領域を選択して生成することを特徴とする請求項７に記載の方法。 
【請求項１４】
前記所定の量の帯域幅は、事前に約束した量の帯域幅であることを特徴とする請求項７に記載の方法。 
【請求項１５】
無線通信システムにおける中継局のアップストリーム帯域幅要請及び割り当てシステムにおいて、
要請帯域幅の量情報を含む帯域幅割り当て要請メッセージを生成して中継局に伝送する端末と、
所定時間の間、１つ以上の端末から前記帯域幅割り当て要請メッセージを受信し、前記検出した各端末別要請帯域幅の量を合せて総要請帯域幅の量を計算した後、前記計算した総要請帯域幅の量情報を含む新しい帯域幅割り当て要請メッセージを生成して基地局に伝送する前記中継局と、
前記帯域幅割り当て要請メッセージが受信される際、スケジューリングに応じて前記中継局に帯域幅を割り当てる前記基地局と
を含むことを特徴とするシステム。 
【請求項１６】
前記中継局は、前記基地局から帯域幅が割り当てられる際、前記割り当てられた帯域幅を各端末が要請した帯域幅の量に応じて該当端末に割り当てることを特徴とする請求項１５に記載のシステム。 
【請求項１７】
前記中継局は、前記メッセージが受信される際、前記端末が要請したサービス品質及び優先順位を検査し、前記検査したサービス品質及び優先順位情報と、前記検出した各端末の要請帯域幅の量を保存した後、前記サービス品質及び優先順位情報に基づき、前記端末が要請した帯域幅の量を計算することを特徴とする請求項１５に記載のシステム。 
【請求項１８】
前記中継局は、前記中継局自身が必要とする帯域幅の量を含んで前記総要請帯域幅の量を計算することを特徴とする請求項１５に記載のシステム。 
【請求項１９】
無線通信システムにおける中継局のアップストリーム帯域幅要請及び割り当てシステムにおいて、
所定の量の帯域幅を要請するＣＤＭＡコードを生成して中継局に伝送する端末と、
所定時間の間、１つ以上の端末から前記ＣＤＭＡコードを受信し、前記検出した各端末別要請帯域幅の量を合せて総要請帯域幅の量を計算した後、前記計算した量の帯域幅を要請する新しいＣＤＭＡコードを生成して基地局に伝送する前記中継局と、
前記ＣＤＭＡコードが受信される際、スケジューリングに応じて前記中継局に帯域幅を割り当てる前記基地局と
を含むことを特徴とするシステム。 
【請求項２０】
前記中継局は、前記基地局から帯域幅が割り当てられる際、前記割り当てられた帯域幅を各端末が要請した帯域幅の量に応じて該当端末に割り当てることを特徴とする請求項１９に記載のシステム。 
【請求項２１】
前記中継局は、前記コードが受信される際、前記端末が要請したサービス品質及び優先順位を検査し、前記検査したサービス品質及び優先順位情報と前記検出された各端末の要請帯域幅の量を保存した後、前記サービス品質及び優先順位情報に基づき前記端末が要請した帯域幅の量を計算することを特徴とする請求項１９に記載のシステム。 
【請求項２２】
前記中継局は、前記中継局自身が必要とする帯域幅の量を含んで前記総要請帯域幅の量を計算することを特徴とする請求項１９に記載のシステム。 
【請求項２３】
前記端末又は中継局は、ＣＤＭＡコードテーブルから前記帯域幅要請に該当する指定された領域を選択してＣＤＭＡコードを生成することを特徴とする請求項１９に記載のシステム。 
【請求項２４】
前記所定の量の帯域幅は、事前に約束した量の帯域幅であることを特徴とする請求項１９に記載のシステム。 
【発明の詳細な説明】
【技術分野】
【０００１】
本発明は、マルチホップ中継方式を使用する広帯域無線接続通信システムに関し、特に、アップストリーム帯域幅要請及び割り当て方法に関する。
【背景技術】
【０００２】
次世代通信システムの４世帯（４ｔｈ  Ｇｅｎｅｒａｔｉｏｎ：以下、「４Ｇ」とする）通信システムでは、約１００Ｍｂｐｓの伝送速度を有する多様なサービス品質（Ｑｕａｌｉｔｙ  ｏｆ  Ｓｅｒｖｉｃｅ：以下、「ＱｏＳ」とする）を有するサービスをユーザに提供するための研究が盛んに進められている。特に、現在、４Ｇ通信システムでは、無線近距離通信ネットワーク（Ｌｏｃａｌ  Ａｒｅａ  Ｎｅｔｗｏｒｋ：以下、「ＬＡＮ」とする）システム及び無線メトロポリタン・エリア・ネットワーク（Ｍｅｔｒｏｐｏｌｉｔａｎ  Ａｒｅａ  Ｎｅｔｗｏｒｋ：以下、「ＭＡＮ」とする）システムのような広帯域無線アクセス（Ｂｒｏａｄｂａｎｄ  Ｗｉｒｅｌｅｓｓ  Ａｃｃｅｓｓ：ＢＷＡ）通信システムに移動性（ｍｏｂｉｌｉｔｙ）とＱｏＳを保障する形態に高速サービスを支援するようにする研究が盛んに進められており、その代表的な通信システムには、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ａ通信システム及びＩＥＥＥ８０２．１６ｅ通信システムがある。
【０００３】
前記ＩＥＥＥ８０２．１６ａ通信システム及びＩＥＥＥ８０２．１６ｅ通信システムは、前記無線ＭＡＮシステムの物理チャネルに広帯域伝送ネットワークを支援するために、前記直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、「ＯＦＤＭ」とする）／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：以下、「ＯＦＤＭＡ」とする）方式を適用した通信システムである。前記ＩＥＥＥ８０２．１６ａ通信システムは、現在、加入者端末機（Ｓｕｂｓｃｒｉｂｅｒ  Ｓｔａｔｉｏｎ：以下、「ＳＳ」とする）が固定した状態、すなわち前記ＳＳの移動性を全く考慮していない状態、及び単一セル構造のみを考慮しているシステムである。これとは異なり、前記ＩＥＥＥ８０２．１６ｅ通信システムは、前記ＩＥＥＥ８０２．１６ａ通信システムに前記ＳＳの移動性を考慮するシステムであり、前記移動性を有するＳＳを移動端末機（Ｍｏｂｉｌｅ  Ｓｔａｔｉｏｎ：以下、「ＭＳ」とする）と称する。
【０００４】
前記一般的なＩＥＥＥ８０２．１６ｅ通信システムは、固定した基地局とＭＳとの間に直接リンクを介してシグナルリング送受信が行われるため、前記基地局とＭＳとの間に、信頼度の高い無線通信リンクを容易に構成し得る。しかしながら、上記のＩＥＥＥ８０２．１６ｅ通信システムは、基地局の位置が固定しているため、無線網の構成において、柔軟性が低く、したがって、トラフィック分布や通話要求量の変化が激しい無線環境では効率的な通信サービスを提供し難い。
【０００５】
このような短所を克服するために、前記８０２．１６ｅ通信システムのような一般セルラ無線通信システムに固定した中継局、移動性を有する中継局、又は一般ＭＳを利用して、マルチホップ中継形態のデータ伝達方式を適用し得る。これにより、前記マルチホップ中継方式を使用する無線通信システムは、通信環境の変化に迅速に対応してネットワークを再構成することができ、全体無線網をさらに效率的に運用できるようになる。前記マルチホップ中継方式を使用する無線通信システムは、セルサービス領域を拡張させ、システム容量を増大させることができる。すなわち、基地局とＭＳとの間のチャネル状態が劣悪な場合、前記基地局とＭＳとの間に中継局を設けて、前記中継局を介したマルチホップ中継経路を構成することにより、チャネル状態がより良好な無線チャネルを前記ＭＳに提供し得る。また、基地局からチャネル状態が劣悪なセル境界地域で前記マルチホップ中継方式を使用することによって、より高速のデータチャネルを提供でき、セルサービス領域を拡張させることができる。
【０００６】
ここで、前記マルチホップ中継を使用する広帯域無線通信システムを構成する中継局は、各基地局が設置し管理するインフラストラクチャー（ｉｎｆｒａｓｔｒｕｃｔｕｒｅ）中継局であるか、前記ＳＳあるいはＭＳのような移動端末機が中継機能を支援するクライアント（ｃｌｉｅｎｔ）中継局であり得る。また、前記中継局は、移動性のない固定中継局であるか、非定住（ｎｏｍａｄｉｃ）特性を有する非定住型中継局であるか、前記ＭＳのような移動性を有する移動中継局であり得る。
【０００７】
一方、マルチホップ中継方式を使用する広帯域無線接続通信システムにおいて、各端末は、中継局を経て基地局に帯域幅要請メッセージを伝送することによってアップストリーム帯域幅が割り当てられることができ、このとき、前記中継局は、前記端末と基地局との間で前記メッセージを処理する役割を果たす。したがって、前記中継局のアップストリーム帯域幅要請及び割り当て方法を定義する必要がある。
【特許文献１】韓国特許出願公開第２００６−５７４７１号公報明細書
【発明の開示】
【発明が解決しようとする課題】
【０００８】
本発明は、上述の問題点に鑑みてなされたもので、その目的は、マルチホップ中継方式を使用する広帯域無線接続通信システムにおいて、アップストリーム帯域幅要請及び割り当て方法を提供することにある。
【課題を解決するための手段】
【０００９】
上記の目的を達成すべく、本発明の実施の形態によれば、広帯域無線接続通信システムにおける中継局のアップストリーム帯域幅要請及び割り当て方法は、時間の間、それぞれ、１つ以上の端末から要請帯域幅の量情報を含む１つ以上の帯域幅割り当て要請メッセージを受信する過程と、前記帯域幅割り当て要請メッセージが受信される際、１つ以上の前記メッセージを介して端末が要請した帯域幅の量を検出する過程と、前記検出した各端末別要請帯域幅の量を合せて、総要請帯域幅の量を計算し、前記計算した総要請帯域幅の量情報を含む新しい帯域幅割り当て要請メッセージを生成して基地局に伝送する過程と、を含むことを特徴とする。
【００１０】
上記の目的を達成すべく、本発明の実施の形態によれば、広帯域無線接続通信システムにおける中継局のアップストリーム帯域幅要請及び割り当て方法は、所定時間の間、１つ以上の端末から所定の量の帯域幅を要請するコード分割多重接続（Ｃｏｄｅ  Ｄｉｖｉｓｉｏｎ  Ｍｕｌｔｉｐｌｅ  Ａｃｃｅｓｓ：以下、「ＣＤＭＡ」とする）コードを受信する過程と、前記ＣＤＭＡコードが受信される際、前記コードを介して端末が要請した帯域幅の量を検出する過程と、前記検出した各端末別要請帯域幅の量を合せて、総要請帯域幅の量を計算し、前記計算した量の帯域幅を要請する新しいＣＤＭＡコードを生成して基地局に伝送する過程を含むことを特徴とする。
【００１１】
上記の目的を達成すべく、本発明の実施の形態によれば、広帯域無線接続通信システムにおける中継局のアップストリーム帯域幅要請及び割り当て方法は、端末から帯域幅割り当て要請メッセージが受信される際、前記帯域幅割り当て要請メッセージを基地局に再伝送する過程と、前記基地局から帯域幅が割り当てられる際、前記端末に要請された帯域幅を割り当てる過程とを含むことを特徴とする。
【００１２】
上記の目的を達成すべく、本発明の実施の形態によれば、広帯域無線接続通信システムにおける中継局のアップストリーム帯域幅要請及び割り当て方法は、端末から所定の量の帯域幅割り当てを要請するＣＤＭＡコードが受信される際、前記受信されたＣＤＭＡコードを基地局に再伝送する過程と、前記基地局から帯域幅が割り当てられる際、前記端末に要請された帯域幅を割り当てる過程とを含む。
【００１３】
上記の目的を達成すべく、本発明の実施の形態によれば、広帯域無線接続通信システムにおける中継局のアップストリーム帯域幅要請及び割り当て装置は、要請帯域幅の量情報を含む帯域幅割り当て要請メッセージを生成して中継局に伝送する端末と、所定時間の間、１つ以上の端末から前記帯域幅割り当て要請メッセージを受信し、前記メッセージを介して各端末が要請した帯域幅の量を検出し、前記検出した各端末別要請帯域幅の量を合せて総要請帯域幅の量を計算した後、前記計算した総要請帯域幅の量情報を含む新しい帯域幅割り当て要請メッセージを生成して基地局に伝送する前記中継局と、前記帯域幅割り当て要請メッセージが受信される際、スケジューリングに応じて前記中継局に帯域幅を割り当てる前記基地局とを含むことを特徴とする。
【００１４】
上記の目的を達成すべく、本発明の実施の形態によれば、広帯域無線接続通信システムにおける中継局のアップストリーム帯域幅要請及び割り当て装置は、所定の量の帯域幅を要請するＣＤＭＡコードを生成して中継局に伝送する端末と、所定時間の間、１つ以上の端末から前記ＣＤＭＡコードを受信し、前記コードを介して各端末が要請した帯域幅の量を検出し、前記検出した各端末別要請帯域幅の量を合せて総要請帯域幅の量を計算した後、前記計算した量の帯域幅を要請する新しいＣＤＭＡコードを生成して基地局に伝送する前記中継局と、前記ＣＤＭＡコードが受信される際、スケジューリングに応じて前記中継局に帯域幅を割り当てる前記基地局とを含むことを特徴とする。
【００１５】
上記の目的を達成すべく、本発明の実施の形態によれば、広帯域無線接続通信システムにおける中継局のアップストリーム帯域幅要請及び割り当て装置は、要請帯域幅の量情報を含む帯域幅割り当て要請メッセージを生成して、中継局に伝送する端末と、端末から帯域幅割り当て要請メッセージが受信される際、前記帯域幅割り当て要請メッセージを基地局に再伝送し、前記基地局から帯域幅が割り当てられる際、前記端末に要請された帯域幅を割り当てる前記中継局と、前記帯域幅割り当て要請メッセージが受信される際、スケジューリングに応じて前記中継局に帯域幅を割り当てる前記基地局とを含むことを特徴とする。
【００１６】
上記の目的を達成すべく、本発明の実施の形態によれば、広帯域無線接続通信システムにおける中継局のアップストリーム帯域幅要請及び割り当て装置は、所定の量の帯域幅を要請するＣＤＭＡコードを生成して中継局に伝送する端末と、前記端末から所定の量の帯域幅割り当てを要請するＣＤＭＡコードが受信される際、前記受信したＣＤＭＡコードを基地局に再伝送し、前記基地局から帯域幅が割り当てられる際、前記端末に要請された帯域幅を割り当てる前記中継局と、前記ＣＤＭＡコードが受信される際、スケジューリングに応じて前記中継局に帯域幅を割り当てる前記基地局とを含むことを特徴とする。
【発明の効果】
【００１７】
本発明によれば、マルチホップ中継方式を使用する広帯域無線接続通信システムにおいて、中継局が自身が管理するセル領域内の複数の端末から受信したアップストリーム帯域幅要請量を集めて、全体アップストリーム帯域幅の量情報を含む１つのアップストリーム帯域幅割り当て要請メッセージを生成し、前記生成されたメッセージを基地局に伝送してアップストリーム帯域幅を要請し、前記要請に応じて、前記基地局から割り当てられた帯域幅を各端末に再び割り当てる方法を提供することによって、端末が中継局に伝送した複数のアップストリーム帯域幅要請メッセージを、中継局と基地局との間では１個のメッセージで表現できるため、中継局と基地局との間の無線資源を低減し、かつ、效率的に管理し得るという利点がある。
【発明を実施するための最良の形態】
【００１８】
以下、本発明の好ましい実施の形態を、添付した図面の参照と一緒に詳細に説明する。そして、本発明を説明するにあって、関連した公知機能あるいは構成に対する具体的な説明が本発明の要旨を不必要に曖昧にしうると判断できた場合その詳細な説明は省略する。
【００１９】
以下、本発明は、マルチホップ中継方式を使用する広帯域無線接続通信システムにおけるアップストリーム帯域幅要請及び割り当て方法に関する。以下の説明では、広帯域無線接続通信システムを例に挙げて説明するが、本発明は、マルチホップ中継方式を使用するセルラ基盤の通信システムであれば、同様に適用されることができる。
【００２０】
図１は、本発明の第１の実施の形態に係るマルチホップ中継方式を使用する広帯域無線接続通信システムにおけるアップストリーム帯域幅要請及び割り当て方法を示した例示図である。
【００２１】
前記図１を参照すると、複数の端末１０５、１０７、１０９は、それぞれ中継局１０３にアップストリーム帯域幅割り当て要請メッセージ１１１、１１３、１１５を伝送する。このとき、前記アップストリーム帯域幅割り当て要請メッセージ１１１、１１３、１１５を受信した前記中継局１０３は、前記メッセージ１１１、１１３、１１５を基地局１０１にそのまま中継して伝送する。すなわち、前記基地局１０１と端末１０５、１０７、１０９との間の送受信データを再伝送する。このとき、前記メッセージ１１１、１１３、１１５を受信した前記基地局１０１は、スケジューリングを介して前記それぞれの端末１０５、１０７、１０９が要請したアップストリーム帯域幅を割り当てる。これにより、各端末１０５、１０７、１０９は、必要な帯域幅を割り当てられることができる。詳細な方法は、下記の図２で説明する。
【００２２】
前記図２は、本発明の第１の実施の形態に係るマルチホップ中継方式を使用する広帯域無線接続通信システムにおける中継局のアップストリーム帯域幅要請及び割り当て方法の手順を示す流れ図である。
【００２３】
前記図２に示すように、中継局１０３は、ステップ２０１で端末１０５からアップストリーム帯域幅割り当て要請メッセージを受信し、ステップ２０３に進んで前記受信したアップストリーム帯域幅割り当て要請メッセージを基地局１０１に再伝送する。このとき、前記基地局１０１は、スケジューリングを介して前記端末１０５にアップストリーム帯域幅を割り当てることができる。
【００２４】
ここで、前記端末１０５が基地局１０１に伝送するアップストリーム帯域幅割り当て要請メッセージの構造は、下記の表１のとおりに表すことができる。
【００２５】
【表１】
0004620690.tif 000002
【００２６】
前記表１において、前記メッセージタイプは、伝送するメッセージの種類を示す。すなわち、前記メッセージタイプフィールドには、前記メッセージがアップストリーム帯域幅割り当て要請メッセージであることを表す適切なコード値が表記される。また、前記アップストリーム帯域幅割り当て要請メッセージの場合、前記要請するアップストリーム帯域幅の量がいくらなのかを表示しなければならないため、前記メッセージは、該当端末が要請するアップストリーム帯域幅の量フィールドを含む。
【００２７】
以後、前記中継局１０３は、ステップ２０５で前記基地局１０１からアップストリーム帯域幅が割り当てられるかを検査し、前記アップストリーム帯域幅が割り当てられる際、ステップ２０７に進んで、該当端末１０５に前記アップストリーム帯域幅を割り当てる。以後、前記中継局１０３は、本発明に係るアルゴリズムを終了する。
【００２８】
図３は、本発明の第２の実施の形態に係るマルチホップ中継方式を使用する広帯域無線接続通信システムにおけるアップストリーム帯域幅要請及び割り当て方法を示した例示図である。
【００２９】
前記図３に示すように、複数の端末３０５、３０７、３０９は、それぞれ中継局３０３にアップストリーム帯域幅割り当て要請メッセージ３１１、３１３、３１５を伝送する。ここで、前記各端末別メッセージ３１１、３１３、３１５は、前記表１のように、前記端末により要請されたアップストリーム帯域幅の量を含む。このとき、前記アップストリーム帯域幅割り当て要請メッセージ３１１、３１３、３１５を受信した前記中継局３０３は、前記メッセージ３１１、３１３、３１５から各端末３０５、３０７、３０９が要請するアップストリーム帯域幅の量を検出し、前記検出したアップストリーム帯域幅量の総和を計算して、基地局３０１に伝送する新しい１つのアップストリーム帯域幅割り当て要請メッセージ３１７を生成する。ここで、前記アップストリーム帯域幅割り当て要請メッセージ３１７は、前記表１で特定端末が要請したアップストリーム帯域幅の量を表すフィールドの代わりに、該当セル内で要請された全てのアップストリーム帯域幅量の総和を表すフィールドを挿入することにより生成される。
【００３０】
以後、前記中継局３０３は、前記生成したアップストリーム帯域幅割り当て要請メッセージ３１７を前記基地局３０１に伝送する。このとき、前記メッセージ３１７を受信した前記基地局３０１は、前記中継局３０３が要請したアップストリーム帯域幅を割り当てる。以後、前記中継局３０３は、前記割り当てられたアップストリーム帯域幅を分けて、各端末に割り当てる。詳細な方法は、下記の図４で説明する。
【００３１】
前記図４は、本発明の第２の実施の形態に係るマルチホップ中継方式を使用する広帯域無線接続通信システムにおける中継局のアップストリーム帯域幅要請及び割り当て方法の手順を示した流れ図である。
【００３２】
前記図４に示すように、中継局３０３は、ステップ４０１で各端末３０５、３０７、３０９からアップストリーム帯域幅割り当て要請メッセージ３１１、３１３、３１５を受信する。以後、前記中継局３０３は、ステップ４０３で前記メッセージ３１１、３１３、３１５を利用して、各端末３０５、３０７、３０９が要請したアップストリーム帯域幅の量を検出し、各端末３０５、３０７、３０９が要請したサービスの品質（ＱｏＳ）を検査した後、前記検出したアップストリーム帯域幅の量及びサービス品質をデータとしてメモリに保存する。
【００３３】
以後、前記中継局３０３は、ステップ４０５で他の端末から受信されるさらに他のアップストリーム帯域幅割り当て要請メッセージがあるか否かを確認する。前記他の端末から受信されるさらに他のアップストリーム帯域幅割り当てメッセージが存在するとき、前記中継局３０３は、前記ステップ４０３に戻って、前記メッセージを介して該当端末から要請された帯域幅の量を検出し、前記検出した帯域幅の量を保存する。前記他の端末から受信されるさらに他のアップストリーム帯域幅割り当てメッセージが存在しないとき、前記中継局３０３は、ステップ４０７に進んで、前記メッセージを受信した時間が所定メッセージの受信時間Ｔより小さいか否かを検査する。前記メッセージ受信時間が前記Ｔより小さいとき、前記中継局３０３は、前記ステップ４０５に戻って、前記メッセージ受信時間が前記Ｔになるまで、他の端末から伝送されるアップストリーム帯域幅割り当て要請メッセージを受信する。
【００３４】
これに対し、前記メッセージ受信時間が前記Ｔより小さくないとき、前記中継局３０３は、ステップ４０９に進んで、前記保存された各端末別要請アップストリーム帯域幅の量を利用して、各端末から要請されたアップストリーム帯域幅の総和を計算する。以後、前記中継局３０３は、ステップ４１１で、前記計算された総アップストリーム帯域幅量情報を含むアップストリーム帯域幅割り当て要請メッセージ３１７を生成して、前記基地局３０１に伝送する。ここで、前記総アップストリーム帯域幅量情報は、前記端末が要請したアップストリーム帯域幅だけでなく、前記中継局３０３自身が必要とするアップストリーム帯域幅の量も含むことができる。また、前記総アップストリーム帯域幅の量は、該当サービスの品質（ＱｏＳ）及び優先順位を考慮して、各端末のＱｏＳ別要請アップストリーム帯域幅の和で算出することもできる。このとき、前記基地局３０１は、前記メッセージ３１７を介して要請された全体アップストリーム帯域幅を前記中継局３０３に割り当てる。
【００３５】
以後、前記中継局３０３は、ステップ４１３で前記基地局３０１から前記アップストリーム帯域幅が割り当てられるか否かを検査する。前記アップストリーム帯域幅が割り当てられる際、前記中継局３０３は、ステップ４１５で前記割り当てられた帯域幅を前記保存されたアップストリーム帯域幅の量、サービス品質及び優先順位情報を利用して、各端末別に分けて割り当てた後、本発明に係るアルゴリズムを終了する。
【００３６】
一方、本発明に係る実施の形態では、中継局が所定時間の間、１つ以上の端末から各端末が要請する帯域幅の量情報を含む帯域幅要請メッセージを受信し、前記受信された帯域幅要請メッセージをそのまま基地局に伝送するか、または各端末の要請帯域幅の量を集めて、１つの帯域要請メッセージとして生成した後、前記生成された帯域幅要請メッセージを基地局に伝送するものを例に挙げて説明した。ここで、前記帯域幅を要請する方法は、上記のように、メッセージを利用して要請することもでき、他の方法で帯域幅を要請する特定ＣＤＭＡコードを利用して要請することもできる。この場合、端末、中継局及び基地局は、事前に約束したＣＤＭＡコードテーブルを有するようになる。
【００３７】
例えば、前記端末は、所望の量の帯域幅割り当てを要請する特定ＣＤＭＡコードを生成及び前記中継局に伝送して、特定量の帯域幅を要請することができ、前記中継局は、前記受信された特定ＣＤＭＡコードをそのまま基地局に伝送するか、または所定時間の間、受信された特定ＣＤＭＡコードを集めて、必要な総帯域幅の量を計算した後、前記計算した量の帯域幅割り当てを要請する特定ＣＤＭＡコードを生成及び前記中継局に伝送して、帯域幅を要請することもできる。このとき、前記端末及び中継局は、上記のように特定ＣＤＭＡコードを生成することもでき、端末、中継局及び基地局間に約束されたＣＤＭＡコードテーブルから所望の帯域幅の量に該当する特定ＣＤＭＡコードを選択及び伝送して、所望の量の帯域幅割り当てを要請することができる。
【００３８】
さらに他の例として、前記端末、中継局及び基地局間に前記端末が要請し得る帯域幅の量を事前に約束しておき、前記端末が前記約束された量の帯域幅割り当てを要請する特定ＣＤＭＡコードを生成及び前記中継局に伝送して、前記約束された量の帯域幅を要請することができ、前記中継局は、前記受信された特定ＣＤＭＡコードをそのまま基地局に伝送するか、または所定時間の間受信された特定ＣＤＭＡコードの数を計算した後、前記計算した特定ＣＤＭＡコードの数に該当する特定ＣＤＭＡコードを生成及び前記中継局に伝送して、帯域幅を要請することもできる。このとき、前記端末及び中継局は、上記のように特定ＣＤＭＡコードを生成することもでき、端末、中継局及び基地局間に約束されたＣＤＭＡコードテーブルから前記約束された量の帯域幅を割り当てる特定ＣＤＭＡコードを選択及び伝送して、所望の量の帯域幅割り当てを要請することができる。
【００３９】
上述のように、本発明は、マルチホップ中継方式を使用する広帯域無線接続通信システムにおいて、中継局が自身が管理するセル領域内の複数の端末から受信したアップストリーム帯域幅要請量を集めて、全体アップストリーム帯域幅の量情報を含む１つのアップストリーム帯域幅割り当て要請メッセージを生成し、前記生成されたメッセージを基地局に伝送してアップストリーム帯域幅を要請し、前記要請に応じて、前記基地局から割り当てられた帯域幅を各端末に再び割り当てる方法を提供することによって、端末が中継局に伝送した複数のアップストリーム帯域幅要請メッセージを、中継局と基地局との間では１個のメッセージで表現できるため、中継局と基地局との間の無線資源を低減し、かつ、效率的に管理し得るという利点がある。
【００４０】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００４１】
【図１】本発明の第１の実施の形態に係るマルチホップ中継方式を使用する広帯域無線接続通信システムにおけるアップストリーム帯域幅要請及び割り当て方法を示した例示図である。
【図２】本発明の第１の実施の形態に係るマルチホップ中継方式を使用する広帯域無線接続通信システムにおける中継局のアップストリーム帯域幅要請及び割り当て方法の手順を示す流れ図である。
【図３】本発明の第２の実施の形態に係るマルチホップ中継方式を使用する広帯域無線接続通信システムにおけるアップストリーム帯域幅要請及び割り当て方法を示した例示図である。
【図４】本発明の第２の実施の形態に係るマルチホップ中継方式を使用する広帯域無線接続通信システムにおける中継局のアップストリーム帯域幅要請及び割り当て方法の手順を示す流れ図である。
【符号の説明】
【００４２】
１０１  基地局
１０３  中継局
１０５  端末
【図１】
0004620690.tif 000003
【図２】
0004620690.tif 000004
【図３】
0004620690.tif 000005
【図４】
0004620690.tif 000006